(57)【要約】  組み立ておよび分解の両方が容易な光源装置を提供することを目的とし、発光モジュール１１０がボディ１２０の内部に収容されており、ボディ１２０の前面に設けられた開口部１２１には、発光モジュール１１０の光をボディ外部に取り出すための光出射窓１３１を有する前面カバー１３０が取り付けられた光源装置１００において、前面カバー１３０は、複数の係止爪１３４ａ〜１３４ｆを有し、係止爪１３４ａ〜１３４ｆをボディ１２０の外表面に設けられた爪受け部１２４に係止させることによってボディ１２０に取り付けられている構成とする。
2011152011.tif 000002
【特許請求の範囲】
【請求項１】
発光モジュールがボディの内部に収容されており、前記ボディの前面に設けられた開口部には、前記発光モジュールの光をボディ外部に取り出すための光出射窓を有する前面カバーが取り付けられた光源装置であって、
前記前面カバーは、複数の係止爪を有し、前記係止爪を前記ボディの外表面に設けられた爪受け部に係止させることによって前記ボディに取り付けられていることを特徴とする光源装置。
【請求項２】
前記爪受け部は、前記ボディの前面側の端部外周縁から外側に張り出すフランジであり、前記係止爪は前記フランジの背面側に回り込むように係止されていることを特徴とする請求項１記載の光源装置。
【請求項３】
前記フランジは、外周縁部分前面側がＲ形状またはテーパ形状となっていることを特徴とする請求項２記載の光源装置。
【請求項４】
前記係止爪は、背面側がＲ形状またはテーパ形状となっていることを特徴とする請求項１から３のいずれかに記載の光源装置。
【請求項５】
前記係止爪は、前記前面カバーの外周縁に沿って間隔を空けながら複数配置されていることを特徴とする請求項１から４のいずれかに記載の光源装置。
【請求項６】
前記光出射窓には、前記発光モジュールの光を集光するための光学部材が配置されていることを特徴とする請求項１から５のいずれかに記載の光源装置。
【発明の詳細な説明】
【技術分野】
【０００１】
本発明は、ＬＥＤ（発光ダイオード）モジュールなどの発光モジュールを光源とする光源装置に関する。
【背景技術】
【０００２】
近年、高輝度ＬＥＤの実用化を契機として、ＬＥＤを光源とする光源装置をハロゲン電球や白熱電球の代替品として利用する試みがなされている。このような光源装置として、例えば特許文献１には、図１４に示すように、発光モジュール９０１がボティ９０２の内部に収容されており、ボディ９０２の前面に設けられた開口部９０３には、複数の係止爪９０４を有する樹脂製の前面カバー９０５が、前記係止爪９０４を前記ボディ９０２の内周面に設けられた爪受け部９０６に係止させることにより取り付けられている構成の光源装置９００が開示されている。【０００３】
このような構成とすれば、開口部９０３に前面カバー９０５を嵌め込むだけの簡単な作業で、前面カバー９０５をボディ９０２へ取り付けることができる。そのため、例えば、金属製の前面カバーをかしめによってボディに取り付ける構成や、金属或いは樹脂製の前面カバーをねじ止め或いは螺合によりボディに取り付ける構成よりも、光源装置の組み立てが容易である。また、金属或いは樹脂製の前面カバーを接着によりボディに取り付ける場合のように接着剤がはみ出て外観不良が生じる懸念もなく、このような構成と比べても光源装置の組み立てが容易である。
【先行技術文献】
【特許文献】
【０００４】
【特許文献１】特開２００９−０９３９２６号公報
【発明の概要】
【発明が解決しようとする課題】
【０００５】
しかしながら、光源装置９００のような構成とした場合、前面カバー９０５の取り付けは容易であるが、一旦取り付けてしまうと前面カバー９０５の係止爪９０４がボディ９０２の内部に隠れてしまうため、リサイクル等で光源装置９００を分解する際に前面カバー９０５を取り外し難い。【０００６】
本発明は、上記の課題に鑑み、組み立ておよび分解の両方が容易な光源装置を提供することを目的とする。
【課題を解決するための手段】
【０００７】
上記目的を達成するために、本発明に係る光源装置は、発光モジュールがボディの内部に収容されており、前記ボディの前面に設けられた開口部には、前記発光モジュールの光をボディ外部に取り出すための光出射窓を有する前面カバーが取り付けられた光源装置であって、前記前面カバーは、樹脂製であって複数の係止爪を有し、前記係止爪を前記ボディの外表面に設けられた爪受け部に係止させることによって前記ボディに取り付けられていることを特徴とする。
【発明の効果】
【０００８】
本発明に係る光源装置は、前面カバーとボディとの取り付け作業を、前面カバーの係止爪をボディの外表面に設けられた爪受け部に接触させた後、押し込むことによって係止爪を前記爪受け部に係止させるという簡単な作業によって行うことができる。また、分解時等の前面カバーとボディとの取り外し作業においては、前面カバーをボディに取り付けた状態において、係止爪がボディの外側に位置するため、係止爪を爪受け部から外し易く、ボディから前面カバーを取り外すのも容易である一方、係止爪が複数有することによって、不用意に外れることを防止することができる。したがって、光源装置の組み立て、分解の両方が容易であるとともに、不用意に前面カバーが外れるのを防止することができる。
【図面の簡単な説明】
【０００９】
【図１】第１の実施形態に係る光源装置を示す斜視図
【図２】第１の実施形態に係る光源装置を示す分解斜視図
【図３】第１の実施形態に係る光源装置を示す分解斜視図
【図４】第１の実施形態に係る発光モジュールを示す斜視図
【図５】第１の実施形態に係る前面カバーを背面側から見た斜視図
【図６】第１の実施形態に係る前面カバーを示す背面図
【図７】発光ユニットと点灯ユニットとの接続態様を説明するための断面図
【図８】前面カバーのボディへの取り付けの態様を説明するための断面図
【図９】図８において符号Ａで示す部分の拡大断面図
【図１０】第２の実施形態に係る光源装置を示す分解斜視図
【図１１】前面カバーのボディへの取り付けの態様を説明するための断面図であって、（ａ）は取り付け前の状態を示す図、（ｂ）は取り付け後の状態を示す図
【図１２】第３の実施形態に係る光源装置を示す分解斜視図
【図１３】第４の実施形態に係る光源装置を示す図であって、（ａ）は斜視図、（ｂ）は断面図
【図１４】従来の光源装置を示す断面斜視図
【発明を実施するための形態】
【００１０】
以下、本発明に係る光源装置の一実施形態を、図面を参照しながら説明する。
【００１１】
［第１の実施の形態］
（概略構成）
図１は、第１の実施形態に係る光源装置を示す斜視図である。図１に示すように、第１の実施形態に係る光源装置１００は、略円柱状の外観形状を有するスポットライトであって、ＪＩＳ  Ｃ  ７５２７に定義されているハロゲン電球と形状が一部共通しており、ハロゲン電球の代替品として使用可能である。
【００１２】
図２は、第１の実施形態に係る光源装置を示す分解斜視図である。図２に示すように、光源装置１００は、ＬＥＤモジュール（発光モジュール）１１０がボディ１２０に収容されており、ボディ１２０の前面に設けられた開口部１２１には、ＬＥＤモジュール１１０から出射される光をボディ１２０の外部に取り出すための光出射窓１３１を有する前面カバー１３０が取り付けられており、光出射窓１３１にはレンズ１４０が嵌め込まれた構成を有する。なお、図２において矢印Ｘで示す方向が前方であって光源装置１００が光を出射する方向であり、他の図においても矢印Ｘで示す方向が前方である。
【００１３】
図３は、第１の実施形態に係る光源装置を示す分解斜視図であって前面カバーおよびレンズは取り除かれている。図３に示すように、光源装置１００は、上記したＬＥＤモジュール１１０、ボディ１２０、前面カバー１３０およびレンズ１４０の他に、点灯ユニット１５０、ケース１６０、口金１７０、ヒートシンク１８０等を備える。
【００１４】
（ＬＥＤモジュール）
図４は、第１の実施形態に係る発光モジュールを示す斜視図である。ＬＥＤモジュール１１０は、光源装置１００の光源であって、例えば、図４に示すように、実装基板１１１、ＬＥＤ（発光素子）１１２、および、一対のコネクタ１１３，１１４を有する。
【００１５】
実装基板１１１は、例えば、略八角形の板状であって、アルミ板などからなる金属板の上面に熱伝導樹脂などからなる絶縁層が形成され更にその上面にＬＥＤと電気的に接続される配線パターン（不図示）が形成されているとともに、配線パターンを避けるようにして３つのねじ挿入孔１１１ａ〜１１１ｃが形成されている。基板構造としてはセラミック板の上面にＬＥＤと電気的に接続される配線パターンが形成されていてもよい。なお、ねじ挿入孔１１１ａ〜１１１ｃは、同方向に幅が広くなった長孔となっており、ねじ止めする際にＬＥＤモジュール１１０の位置を長孔に沿ってずらすことが可能である。
【００１６】
ＬＥＤ１１２は、例えば、発光色が青色のＩｎＧａＮ系のＬＥＤチップとＬＥＤチップを封止する黄緑色発光の蛍光体を含んだ半球状の封止部とを有し、ＬＥＤチップから発せられた青色光の一部を蛍光体によって黄緑色に色変換し、青色と黄緑色との混色により生じる白色光を出射する。ＬＥＤ１１２は、実装基板１１１に実装されており、実装基板１１１の配線パターンのランド１１１ｄと電気的に接続されている。
【００１７】
各コネクタ１１３，１１４は、略角柱状の絶縁部材１１３ａ，１１４ａと絶縁部材１１３ａ，１１４ａに取り付けられた導電部材１１３ｂ，１１４ｂとを有し、実装基板１１１を貫通した状態で実装基板１１１に固定されている。絶縁部材１１３ａ，１１４ａの後方側端部１１３ｃ，１１４ｃには点灯ユニット１５０に係合させるためのスリット溝１１３ｄ，１１４ｄが形成されている。導電部材１１３ｂ，１１４ｂの前方側端部１１３ｅ，１１４ｅは実装基板１１１の配線パターンのランド１１１ｅと電気的に接続されており、導電部材１１３ｂ，１１４ｂの後方側端部１１４ｆ（図７参照、導電部材１１３ｂの後方側端部は不図示）は絶縁部材１１３ａ，１１４ａのスリット溝１１３ｄ，１１４ｄ内に位置している。
【００１８】
（ボディ）
図３に戻って、ボディ１２０は、例えば、金属やセラミック（ガラスを含む）など放熱性の良い材料からなる有底筒状の部材であって、円筒状の筒部１２２と、筒部１２２の下端を閉塞する円板状の底部１２３とを有する。
【００１９】
筒部１２２の前方側の端部は前方に向かうにしたがって外径および内径が広がっており、この径の広がった部分がボディ１２０の開口部１２１を構成している。そして、開口部１２１には、その外周縁から外側に張り出すフランジ（爪受け部）１２４が設けられており、フランジ１２４を利用して前面カバー１３０が取り付けられる。なお、前面カバー１３０の取り付け構造については詳細を後述する。底部１２３には、３つの略円形のねじ挿入孔１２５ａ〜１２５ｃと、２つの略方形のコネクタ挿入孔１２６ａ，１２６ｂとが形成されている。
【００２０】
（前面カバー）
図５は、第１の実施形態に係る前面カバーを背面側から見た斜視図である。前面カバー１３０は、例えば白色のＰＢＴ（ポリブチレンテレフタレート）など非透光性樹脂で形成されており、図５に示すように、略円形の光出射窓１３１を有する平板円環状の本体部１３２と、本体部１３２の外周縁から後方に向けて延出する短筒状の周壁部１３３とを備える。
【００２１】
なお、前面カバー１３０を構成する樹脂はＰＢＴに限定されず、アクリル、ＰＣ（ポリカーボネート）等であっても良い。ＰＢＴは耐熱性が高く適度な弾力があり、耐候性に優れるため前面カバー１３０の材料として好適である。また、前面カバー１３０は白色に限定されない。樹脂製である前面カバー１３０は安価に着色が可能である。
【００２２】
前面カバー１３０には、前面カバー１３０の外周縁に沿って間隔を空けながら８つの鉤状の係止爪１３４ａ〜１３４ｈが設けられている。具体的には、係止爪１３４ａ〜１３４ｈは、周壁部１３３の内周面における後方側端縁付近に、内周面の周方向に沿って等間隔を空けながら配置されており、それぞれが周壁部１３３の筒軸方向に向けて突出するように設けられている。前面カバー１３０は、係止爪１３４ａ〜１３４ｈを利用してボディ１２０に取り付けられる。
【００２３】
前面カバー１３０は、係止爪１３４ａ〜１３４ｈが間隔を空けながら複数配置されているため、各係止爪１３４ａ〜１３４ｈは独立してそれぞれボディ１２０のフランジ１２４に係止される。したがって、係止爪１３４ａ〜１３４ｈは、そのうちの一つがフランジ１２４から外れてしまったとしても、その影響で他の係止爪までもが外れるようなことが起こり難く、前面カバー１３０が不用意にボディ１２０から外れることが起こり難い。さらに、前面カバー１３０を着脱する際に係止爪１３４ａ〜１３４ｈにかかる応力を、各係止爪１３４ａ〜１３４ｈに分散させることができるため、着脱がスムーズであり係止爪１３４ａ〜１３４ｈが破損し難い。
【００２４】
これに対して、例えば、係止爪が前面カバーの外周縁に沿って円環状に連続している場合は、連続した係止爪の一箇所がフランジ１２４から外れると、その箇所と繋がっている係止爪全体がフランジ１２４から外れてしまうおそれがあり、前面カバー１３０がボディ１２０から外れ易い。また、前面カバー１３０を着脱する際に係止爪の一箇所に係止爪にかかる応力が集中し易く、着脱に大きな力が必要になるとともに係止爪が破損し易い。
【００２５】
なお、係止爪１３４ａ〜１３４ｈの数は８つに限定されないが、前面カバー１３０を取り付け易く、取り付けた前面カバー１３０が不用意に外れ難く、光源装置１００の分解の際には比較的簡単にその前面カバー１３０を取り外せるようにするためには、３〜３０つであることが好ましい。
【００２６】
本体部１３２には、係止爪１３４ａ〜１３４ｈと対応する位置に孔部１３５ａ〜１３５ｈが設けられている。このように、孔部１３５ａ〜１３５ｈが設けられているため、複雑な形状の前面カバー１３０を、構成部品数の少ないシンプルな金型で樹脂成形可能であり、成型時の簡略化が図れる。また、本体部１３２の背面には、略円環状のリブ１３６が設けられている。これにより、前面カバー１３０は強度が補強されている。
【００２７】
図６は、第１の実施形態に係る前面カバーを示す背面図である。図６に示す前面カバー１３０の径Ｗ１は、ＪＩＳ  Ｃ  ７５２７の規格に適合させるために、３４．３〜７１．０ｍｍであることが好ましい。本実施例ではＷ１は５０ｍｍであり、その場合、光出射窓１３１の径Ｗ２は、ＬＥＤモジュール１１０の光をボディ１２０の外部に十分に取り出すために、１５〜３５ｍｍであることが好ましい。本体部１３２の幅Ｗ３は、レンズ１４０を保持する前面カバー１３０の強度を十分に得るために、７．５〜１７．５ｍｍであることが好ましい。周壁部１３３の幅Ｗ４は、各係止爪１３４ａ〜１３４ｈがフランジ１２４に対して程よく着脱可能な弾力を得るために、０．３〜１．０ｍｍであることが好ましい。リブ１３６の幅Ｗ５は、本体部１３２の強度を十分に得るために、０．４〜１．５ｍｍであることが好ましい。
【００２８】
また、本実施形態においては、フランジ１２４の背面に回り込んで係止する各係止爪１３４ａ〜１３４ｈの前面側１３９（各係止爪１３４ａ〜１３４ｈのフランジ１２４に対する引っかかり部分）の平坦面の長さは０．５〜１ｍｍで、係止爪１３４ａ〜１３４ｈが係止されるフランジの外方へ伸びる長さは１〜２ｍｍとした。各係止爪１３４ａ〜１３４ｈのカバー周方向の幅Ｗ６は、フランジ１２４に対して程よく着脱可能なように、２〜８ｍｍであることが好ましい。同様の理由で、各係止爪１３４ａ〜１３４ｈは、中心角αが４．５〜１８．５°となる幅であることが好ましい。また、同様の理由で、係止爪１３４ａ〜１３４ｈ間の隙間は、中心角βが２６．５〜４０．５°となる幅であることが好ましい。さらに、同様の理由で、各係止爪１３４ａ〜１３４ｈのカバー径方向の最大幅Ｗ７は、０．４〜１．５ｍｍであることが好ましい。ただし、これらの寸法値はカバー径によって好ましい範囲は変わる。
【００２９】
（レンズ）
図２に戻って、レンズ１４０は、例えば透明なアクリル樹脂製の略倒立円錐台形状であって、下側の中央にＬＥＤ１１２の一部を嵌め込むための略円柱状の凹部１４１を有する。凹部１４１にＬＥＤ１１２の一部を嵌め込むことによって、レンズ１４０は前後方向と直交する方向への移動が規制される。なお、レンズ１４０は、透明アクリル樹脂製に限定されず、その他の透光性樹脂またはガラスなどの透光性の材料からなっても良い。
【００３０】
レンズ１４０は、ＬＥＤモジュール１１０の光を集光するための光学部材であって、ＬＥＤ１１２から出射された光はレンズ１４０内に取り込まれ、レンズ１４０で集光されてボディ１２０の外部へ放出される。スポットライトとして利用する場合には、集光を容易にするためにビーム角が１４０°以下のＬＥＤ１１２を用いることが好ましい。  
【００３１】
（点灯ユニット）
点灯ユニット１５０は、例えば、商用電源から供給された交流電力を直流電力に整流する整流回路、および、整流回路により整流された直流電力の電圧値を調整する電圧調整回路などからなる点灯回路を含み、商用電源を利用してＬＥＤモジュール１１０を発光させる。
【００３２】
図３に示すように、点灯ユニット１５０は、ダイオード、電解コンデンサ、コイルおよび抵抗などの複数の電子部品（不図示）が実装された矩形板状の回路基板１５１を有する。回路基板１５１には、ＬＥＤモジュール１１０のコネクタ１１３，１１４と電気的に接続される端子１５２ａ，１５２ｂが設けられている。
【００３３】
（ケース）
ケース１６０は、例えば、下端が閉塞され上端が開口した有底筒状であって、樹脂やセラミックなどの絶縁性の材料からなり、内部に点灯ユニット１５０が収容されている。ケース１６０の内周面１６１には、３つの膨出部１６２ａ〜１６２ｃが周方向に等間隔を空けて設けられており、それら膨出部１６２ａ〜１６２ｃの前面側に、ねじ穴１６３ａ〜１６３ｃを有する略円柱状の凸部１６４ａ〜１６４ｃが形成されている。
【００３４】
（口金）
口金１７０は、ハロゲン電球用のソケットに適合可能なＪＩＳ Ｃ ７７０９で規格されるＧＵ５．３の口金ピンである。図１に示される口金１７０は、一対の口金ピン１７１ａ，１７１ｂで構成されている。各口金ピン１７１ａ，１７１ｂは、ケース１６０の底面に突設されており、点灯ユニット１５０と電気的に接続されている。なお、本発明に係る口金は、ＧＵ５．３のピン口金に限定されず、ＧＵ１０などのピン口金や、Ｅ２６などのＥ口金であっても良い。
【００３５】
（ヒートシンク）
ヒートシンク１８０は、円筒状の筒部１８１と、筒部１８１の上端を閉塞する円板状の端壁１８２とを有し、金属やセラミックなど放熱性の良い材料からなる。ヒートシンク１８０は、このようなシンプルな形状であるため絞り加工で作製することが可能であり、薄型化が可能であるため、光源装置１００を軽量にすることができる。なお、ヒートシンク１８０は、ダイキャストなど絞り加工以外の方法で作製しても良い。
【００３６】
筒部１８１は、ケース１６０を外嵌しており、例えばケース１６０のケース１６０の外周面１６５の全体を覆っている。このように全体を覆う構成とすることで、筒部１８１の表面積を大きくすることができ、放熱性を向上させることができるとともに、光源装置１００の外観が良好になる。このようなヒートシンク１８０を設ける構成は、小型かつ高輝度のＬＥＤを用いるためＬＥＤの発熱による温度上昇が問題になり易いスポットライト用の光源装置において特に有用である。
【００３７】
ヒートシンク１８０の内径はケース１６０の外径よりも大きく、ヒートシンク１８０の内周面１８３とケース１６０の外周面１６５との間には、内周面１８３の周方向全域に亘って略均一な幅の隙間１０１（図８参照）が形成されている。この隙間１０１によって、ケース１６０にヒートシンク１８０の熱が伝わり難くなっており、ケース１６０内に収容された点灯ユニット１５０が熱破壊され難くなっている。また、ヒートシンク１８０の内周面１８３およびケース１６０のケース１６０の外周面１６５が外気に触れることになるため、ヒートシンク１８０の放熱性をより向上させることができる。
【００３８】
端壁１８２は、ボディ１２０とケース１６０との間に介在してケース１６０の開口を塞いでおり、ボディ１２０のねじ挿入孔１２５ａ〜１２５ｃと略同形状である３つのねじ挿入孔１８４ａ〜１８４ｃ、および、ボディ１２０のコネクタ挿入孔１２６ａ，１２６ｂと略同形状である２つのコネクタ挿入孔１８５ａ，１８５ｂが形成されている。
【００３９】
光源装置１００は、ヒートシンク１８０がボディ１２０やケース１６０と別体となった構成であるため、ワット数の異なる複数種類の光源装置に対して、ボディ１２０やケース１６０を共通で使用しながら、ヒートシンク１８０の形状や大きさをワット数の大きさに応じて適宜変更することが可能であり、部材共通化による低コスト化、品種展開の容易化などを図ることができる。
【００４０】
（組み立て構造）
以上のように説明した第１の実施形態に係る光源装置１００は、以下のようにして組み立てられる。
【００４１】
まず、図３に示すように、ケース１６０に点灯ユニット１５０を収容した状態で、前方からヒートシンク１８０を被せて、ケース１６０の凸部１６４ａ〜１６４ｃをヒートシンク１８０のねじ挿入孔１８４ａ〜１８４ｃに貫通させる。さらに、ヒートシンク１８０の端壁１８２にボディ１２０を載置し、ケース１６０の凸部１６４ａ〜１６４ｃをボディ１２０のねじ挿入孔１２５ａ〜１２５ｃにも貫通させる。この状態で、ヒートシンク１８０のコネクタ挿入孔１８５ａ，１８５ｂとボディ１２０のコネクタ挿入孔１２６ａ，１２６ｂとは、互いに連通した状態で回路基板１５１の端子１５２ａ，１５２ｂに対し位置決めされる。
【００４２】
次に、ボディ１２０の底部１２３にＬＥＤモジュール１１０の実装基板１１１を載置するとともに、コネクタ１１３，１１４をコネクタ挿入孔１８５ａ，１８５ｂおよびコネクタ挿入孔１２６ａ，１２６ｂに貫通させて、ＬＥＤモジュール１１０と点灯ユニット１５０とを電気的に接続させるとともに、ボディ１２０の内部にＬＥＤモジュール１１０を収容する。
【００４３】
図７は、発光ユニットと点灯ユニットとの接続態様を説明するための断面図である。図７に示すように、ＬＥＤモジュール１１０のコネクタ１１４を、ボディ１２０のコネクタ挿入孔１２６ｂおよびヒートシンク１８０のコネクタ挿入孔１８５ｂに貫通させる際には、コネクタ１１４の絶縁部材１１４ａのスリット溝１１４ｄ内に点灯ユニット１５０の回路基板１５１の端縁部を嵌め込むようにして、コネクタ１１４の後方側端部１１４ｃと回路基板１５１とを係合させる。これにより、スリット溝１１４ｄ内に位置する導電部材１１４ｂの後方側端部１１４ｆと、回路基板１５１の端子１５２ｂとが電気的に接続される。同様に、コネクタ１１３の導電部材１１３ｂも回路基板１５１の端子１５２ａと電気的に接続される。
【００４４】
次に、ねじ止めを行なう。ねじ穴１６３ａ〜１６３ｃにねじ１９０ａ〜１９０ｃを挿入しねじ込めば、ＬＥＤモジュール１１０、ボディ１２０およびヒートシンク１８０を一度にケース１６０にねじ止めすることができるため組み立てが容易である。また、リサイクル時などにおこなう分解の際も、ねじ１９０ａ〜１９０ｃを外すだけで各パーツに分解できる。
【００４５】
なお、光源装置１００は、各パーツに関し、ねじ挿入孔およびコネクタ挿入孔の位置が共通し、かつ、形状や大きさが異なる複数の種類を用意しておき、それらをワット数や灯具の仕様に合わせて適宜選択して組み合わせる構成としても良い。
【００４６】
図８は、前面カバーのボディへの取り付けの態様を説明するための断面図である。次に、ＬＥＤモジュール１１０上にレンズ１４０を、凹部１４１内にＬＥＤ１１２の一部が嵌まり込んだ状態で載置する。次に、前面カバー１３０の係止爪１３４ａ〜１３４ｈをボディ１２０に接触させた後、押し込むことで、各係止爪１３４ａ〜１３４ｈをボディ１２０のフランジ１２４の背面側に回り込ませてフランジ１２４に係止させ、前面カバー１３０をボディ１２０の開口部１２１に取り付ける。つまり、前面カバー１３０の係止爪１３４ａ〜１３４ｈの先端部を、ボディ１２０のフランジ１２４の前面側周縁に接触させた後、前面カバー１３０をボディ１２０に向かって押し込むことで、各係止爪１３４ａ〜１３４ｈが外方へ湾曲し先端部がフランジ１２４の周縁を乗り越え、係止爪１３４ａ〜１３４ｈの先端部の鉤部分をフランジ１２４に係止することができる。このように、係止爪１３４ａ〜１３４ｈを用いて係止により前面カバー１３０を取り付ける構造は、ねじ止めや接着により前面カバー１３０を取り付ける構造よりも耐久性が高く、光源装置１００の製品寿命の増加に寄与する。
【００４７】
レンズ１４０の外周縁部分１４２の外径は光出射窓１３１の径よりも大きい。したがって、前面カバー１３０をボディ１２０に取り付けた状態で、レンズ１４０は光出射窓１３１の内側に収まり、レンズ１４０の外周縁部分１４２が前面カバー１３０の本体部１３２の内周縁部分１３７で覆われる。そのため、レンズ１４０は光出射窓１３１から外れ落ちない。この状態で、レンズ１４０は、前面カバー１３０とＬＥＤモジュール１１０とで挟まれており、前後方向への移動が規制されているため、ＬＥＤ１１２の一部が凹部１４１に嵌まり込んだ状態が維持され、ＬＥＤ１１２に対してレンズ１４０が位置ずれしない。
【００４８】
図９は、図８において符号Ａで示す部分の拡大断面図である。図９に示すように、ボディ１２０のフランジ１２４は、外周縁部分前面側１２７がＲ形状になっており、前面カバー１３０の係止爪１３４ａ〜１３４ｈがフランジ１２４の背面側にスムーズに回り込むようになっている。これにより、前面カバー１３０をボディ１２０に取り付ける際に、取り付け易いとともに、係止爪１３４ａ〜１３４ｈが破損し難くなっている。なお、フランジ１２４の外周縁部分前面側１２７をテーパ形状としても同様の効果を得ることが可能である。
【００４９】
一方、フランジ１２４の外周縁部分背面側１２８にはしっかりと角が付けられており、係止爪１３４ａ〜１３４ｈがフランジ１２４から外れ難くなっている。
【００５０】
各係止爪１３４ａ〜１３４ｈは、背面側１３８がテーパ形状となっており、前面カバー１３０の係止爪１３４ａ〜１３４ｈがフランジ１２４の背面側にスムーズに回り込むようになっている。これにより、前面カバー１３０をボディ１２０に取り付ける際に、取り付け易いとともに、係止爪１３４ａ〜１３４ｈが破損し難くなっている。なお、各係止爪１３４ａ〜１３４ｈの背面側１３８をＲ形状としても同様の効果を得ることが可能である。
【００５１】
一方、各係止爪１３４ａ〜１３４ｈの前面側１３９は平坦になっているため、フランジ１２４に係止させた状態において、フランジ１２４の外周縁部分背面側１２８と密着し易く、係止爪１３４ａ〜１３４ｈがフランジ１２４から外れ難くなっている。
【００５２】
前面カバー１３０は、光源装置１００をハロゲン電球用の灯具に取り付け可能とするために、周壁部１３３の筒軸方向の幅Ｗ８およびボディ１２０から前記筒軸と直交する方向への突出幅Ｗ９が、それぞれＪＩＳ  Ｃ  ７５２７の規格に適合していることが好ましい。
【００５３】
図９において矢印で示すように、前面カバー１３０をボディ１２０に取り付けた状態において、ボディ１２０の内部（ボディ１２０と前面カバー１３０とで形成される内部空間）と外部とは孔部１３５ａ〜１３５ｈを介して連通している。そのため、ボディ１２０の内部から外部、外部から内部へと空気が流れるため、ボディ１２０の内部にＬＥＤモジュール１１０で発生した熱が篭り難くなっている。
【００５４】
［第２の実施形態］
図１０は、第２の実施形態に係る光源装置を示す分解斜視図である。図１１は、前面カバーのボディへの取り付けの態様を説明するための断面図であって、（ａ）は取り付け前の状態を示す図、（ｂ）は取り付け後の状態を示す図である。
【００５５】
図１０に示すように、第２の実施形態に係る光源装置２００は、Ｏリング２０１を備える点が第１の実施形態に係る光源装置とは大きく相違する。以下では、相違点のみを説明し、第１の実施形態と同様の点ついては重複を避けるため説明を省略する。
【００５６】
光源装置２００は、ＬＥＤモジュール１１０、ボディ１２０、前面カバー１３０、レンズ１４０、点灯ユニット１５０（不図示）、ケース１６０（不図示）、口金１７０（不図示）、ヒートシンク１８０、および、Ｏリング２０１を備える。
【００５７】
前面カバー１３０の取り付けにおいては、まず、図１１（ａ）に示すように、ボディ１２０にＬＥＤモジュール１１０を取り付け、ＬＥＤモジュール１１０上にレンズ１４０を載置する。次に、レンズ１４０が光出射窓１３１内に収まるように前面カバー１３０を配置し、前面カバー１３０の内周縁部分１３７でレンズ１４０の外周縁部分１４２を押圧しながら、ボディ１２０のフランジ１２４に係止爪１３４ａ〜１３４ｈを係止させ、前面カバー１３０をボディ１２０に取り付ける。
【００５８】
ボディ１２０と前面カバー１３０との間には、例えばゴム製のＯリング２０１が配置される。Ｏリング２０１は、前面カバー１３０を取り付ける前の状態において、その上端の高さレベルＬ１がレンズ１４０の外周縁部分１４２の上面の高さレベルＬ２よりも高いが、前面カバー１３０を取り付けた後の状態において、高さレベルＬ１が高さレベルＬ２よりも低くなる。すなわち、Ｏリング２０１は、前面カバー１３０の背面に押圧されることによって扁平する。
【００５９】
このように、ボディ１２０と前面カバー１３０との間にＯリング２０１を配置すれば、簡単にレンズ１４０を所定の位置に固定することができ、レンズ１４０の位置ずれをより確実に防止することができる。
【００６０】
前面カバー１３０は、レンズ１４０をボディ１２０側に押圧するための好適な弾性を得るために、本体部１３２の厚みが０．５〜２．０ｍｍの範囲であることが好ましい。その範囲よりも薄い場合は機械的強度が不足し、その範囲よりも厚いと押圧するための弾性が十分でなくなるおそれがあるため好ましくない。
【００６１】
ボディ１２０と前面カバー１３０との間にＯリング２０１を配置した場合、ボディ１２０の内部と外部とは連通しなくなり、ボディ１２０の内部が密閉に近い状態になる。これにより、ボディ１２０の内部に収容されたＬＥＤモジュール１１０が密封されるため、高湿度環境下で光源装置２００を使用した場合であっても、湿度によるＬＥＤモジュール１１０の故障が起こり難い。
【００６２】
［第３の実施形態］
図１２は、第３の実施形態に係る光源装置を示す分解斜視図である。図１２に示すように、第３の実施形態に係る光源装置３００は、係止爪３３４ａ〜３３４ｄおよび爪受け部３２４ａ〜３２４ｃの態様が第１の実施形態に係る光源装置とは大きく相違する。以下では、相違点のみを説明し、第１の実施形態と同様の点ついては重複を避けるため説明を省略する。
【００６３】
第３の実施形態に係る光源装置３００は、ＬＥＤモジュール１１０（不図示）、ボディ３２０、前面カバー３３０、レンズ１４０、点灯ユニット１５０（不図示）、ケース１６０（不図示）、口金１７０、およびヒートシンク１８０を備える。
【００６４】
ボディ３２０は、例えば、金属やセラミック（ガラスを含む）など放熱性の良い材料からなる有底筒状であって、前方側の端部に開口部３２１が設けられており、円筒状の筒部３２２と、筒部３２２の下端を閉塞する円板状の底部（不図示）とを有する。
【００６５】
筒部３２２の外周面の前方側端縁付近には、周方向に沿って等間隔を空けて４つの係止孔（爪受け部）３２４ａ〜３２４ｄが設けられている。各係止孔３２４ａ〜３２４ｄは、略方形であって、筒部３２２の周方向に沿ってスリット状に形成されている。
【００６６】
前面カバー３３０は、例えば白色のＰＣ製であって、内側に略円形の光出射窓３３１を有する平板円環状の本体部３３２と、本体部３３２の外周縁から後方に向けて延出する短筒状の周壁部３３３とを備える。また、周壁部３３３の後方側端縁には、後方に向けて延出する舌片３３５ａ〜３３５ｃが周壁部３３３の周方向に沿って等間隔を空けながら設けられており、各舌片３３５ａ〜３３５ｃの先端には、周壁部１３３の筒軸方向に向けて突出する係止爪３３４ａ〜３３４ｄがそれぞれ設けられている。
【００６７】
前面カバー３３０は、係止爪３３４ａ〜３３４ｄを係止孔３２４ａ〜３２４ｄに係止させることによって（係止爪３３４ａ〜３３４ｄを係止孔３２４ａ〜３２４ｄに嵌め込むことによって）ボディ３２０の開口部３２１に取り付けられる。係止爪３３４ａ〜３３４ｄは、前面カバー３３０の本体部３３２をボディ３２０の開口部３２１に押し当てるようにすれば容易に係止孔３２４ａ〜３２４ｄに係止することができる。
【００６８】
［第４の実施形態］
図１３は、第４の実施形態に係る光源装置を示す図であって、（ａ）は斜視図、（ｂ）は断面図である。図１３（ａ）および（ｂ）に示すように、第４の実施形態に係る光源装置４００は、ハロゲン電球の代替品であって、ハロゲン電球の規格に準じた外観形状を有し、ＬＥＤモジュール４１０、ボディ４２０、前面カバー１３０、レンズ１４０、点灯ユニット（不図示）、および口金ユニット４７０を備える。
【００６９】
ＬＥＤモジュール４１０は、光源装置４００の光源であって、例えば、実装基板４１１と、ＬＥＤ（発光素子）４１２とを有し、実装基板４１１が略円形の板状である以外は、第１の実施形態に係るＬＥＤモジュール１１０とほぼ同様の構成を有する。
【００７０】
ボディ４２０は、例えば、金属やセラミック（ガラスを含む）など放熱性の良い材料からなり、筒部４２２と筒部４２２の下端を閉塞する円板状の底部４２３とを有する略椀状であって、底部４２３上にＬＥＤモジュール１１０が取り付けられている。
【００７１】
筒部４２２は前方に向かうにしたがって外径および内径が広がっており、前方側の端部がボディ４２０の開口部４２１を構成している。そして、開口部４２１には、その外周縁から外側に張り出すフランジ（爪受け部）４２４が設けられており、フランジ４２４を利用して前面カバー１３０が取り付けられる。
【００７２】
口金ユニット４７０は、ハロゲン電球用のソケットに適合可能なＪＩＳＣ７７０９で規格される口金であり、点灯ユニットと電気的に接続された一対の口金ピン４７１ａ，４７１ｂを備える。
【００７３】
このように、ハロゲン電球と同じ様な外形の光源装置４００とすることによって、ハロゲン電球の代替品としてより多くの灯具に取り付けることが可能である。
【００７４】
［変形例］
以上、本発明に係る光源装置を実施の形態に基づいて具体的に説明してきたが、本発明に係る光源装置は、上記の実施の形態に限定されない。例えば、以下のような変形例が考えられる。
【００７５】
（発光モジュール）
発光モジュールの発光素子は、ＬＥＤに限定されず、半導体レーザーダイオードや電界発光素子などであっても良い。また、発光素子の発光色は白色に限定されず、任意の発光色を採用することが可能である。
【００７６】
（ボディ）
ボディの爪受け部は、第１、第２および第４の実施形態に係るフランジ１２４，４２４や第３の実施形態に係る係止孔３２４ａ〜３２４ｄに限定されず、ボディの外表面に設けられ、前面カバーの係止爪を係止できるものであればどのような形状でも良い。
【００７７】
また、ボディは、透光性材料で形成されていても良い。その場合は、ボディを透過して側方へも発光モジュールの光が漏れることになるため、光源装置の照明範囲を広げることができる。なお、透光性材料としてはガラスなどの透光性を有するセラミックが考えられる。このような構成は、光源装置をスポットライト用として使用しない場合に特に有効であり、そのような場合はボディを光拡散性材料で作製することがさらに好ましい。また、透過性および光拡散性を有する前面カバーと組み合わせるとさらに好ましい。
【００７８】
（前面カバー）
前面カバーは、非透光性樹脂で形成される場合に限定されず、透光性樹脂で形成されていても良い。前面カバーを透光性樹脂で形成すれば、光源装置の前面全体を光らせることができる。また、レンズ反射面からの漏れ光が前面カバーからボディの外部に取り出されるため出射光量が増加する。さらに、前面カバーは、透光性を有し、かつ、光拡散性を有する樹脂で形成しても良く、このようにすれば、発光モジュールの光が前面カバーで拡散され、白熱電球に近い配光パターンを得ることができる。さらに、前面カバーの光出射窓は、孔部である必要はなく、透光性樹脂等により塞がった構成であっても良い。
【００７９】
（レンズ）
光学部材は、フレネルレンズや反射鏡であっても良い。光学部材がレンズである場合は、レンズの表面に光を反射させる反射膜を設けることが好ましく、反射膜を設けてレンズの表面を内側に向けた鏡面とすれば出射光量を増大させることができる。
【００８０】
なお、光学部材は必ずしも必要でなく、光源装置が光学部材を備えていない構成でもよい。その場合、例えば、第１の実施形態において、前面カバー１３０の本体部１３２には光出射窓１３１が設けられておらず、本体部１３０によってボディ１２０の開口部１２１全体が完全に覆われた構成であってもよい。また、光学部材１４０が前面カバー１３０と一体成形された構成、言い換えると前面カバーの一部が光学部材として機能する構成であってもよい。
【００８１】
（その他）
本発明に係る光源装置は、第１〜第４の実施の形態に係る構成の一部を組み合わせた構成であっても良い。
【産業上の利用可能性】
【００８２】
本発明に係る光源装置は、照明用途全般に広く利用可能である。
【符号の説明】
【００８３】
１００，２００，３００，４００  光源装置
１１０、４１０  発光モジュール
１２０，３２０，４２０  ボディ
１２１，３２１，４２１  開口部
１２４，４２４  フランジ（爪受け部）
１２７  外周縁部分前面側
１３０，３３０，４３０  前面カバー
１３１，３３１，４３１  光出射窓
１３４ａ〜１３４ｆ，３２４ａ〜３２４ｄ  係止爪
１３８  係止爪の背面側
１４０  光学部材
【図１】
2011152011.tif 000003
【図２】
2011152011.tif 000004
【図３】
2011152011.tif 000005
【図４】
2011152011.tif 000006
【図５】
2011152011.tif 000007
【図６】
2011152011.tif 000008
【図７】
2011152011.tif 000009
【図８】
2011152011.tif 000010
【図９】
2011152011.tif 000011
【図１０】
2011152011.tif 000012
【図１１】
2011152011.tif 000013
【図１２】
2011152011.tif 000014
【図１３】
2011152011.tif 000015
【図１４】
2011152011.tif 000016
【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
発光モジュールがボディの内部に収容されており、前記ボディの前面に設けられた開口部には、前記発光モジュールの光をボディ外部に取り出すための光出射窓を有する前面カバーが取り付けられた光源装置であって、
前記前面カバーは、複数の係止爪を有し、前記係止爪を前記ボディの外表面に設けられた爪受け部に係止させることによって前記ボディに取り付けられており、
前記係止爪は、前記前面カバーの外周縁に沿って間隔を空けながら複数配置されていることを特徴とする光源装置。
【請求項２】
前記爪受け部は、前記ボディの前面側の端部外周縁から外側に張り出すフランジであり、前記係止爪は前記フランジの背面側に回り込むように係止されていることを特徴とする請求項１記載の光源装置。
【請求項３】
前記フランジは、外周縁部分前面側がＲ形状またはテーパ形状となっていることを特徴とする請求項２記載の光源装置。
【請求項４】
前記係止爪は、背面側がＲ形状またはテーパ形状となっていることを特徴とする請求項１から３のいずれかに記載の光源装置。
【請求項５】
（削除）
【請求項６】
前記光出射窓には、前記発光モジュールの光を集光するための光学部材が配置されていることを特徴とする請求項１から４のいずれかに記載の光源装置。
【国際調査報告】
2011152011.tif 000017
2011152011.tif 000018
2011152011.tif 000019